(57)【特許請求の範囲】
【請求項１】
装飾画材の輪郭を形成する金属製で且つ閉環形状の輪郭体と、該輪郭体で囲まれる領域の全体を輪郭体の底側から裏打ちする台紙と、前記輪郭体の内側において前記台紙の上の全面に隙間なく積層される１乃至複数種類のプリザーブドフラワーと、を少なくとも備え、前記プリザーブドフラワーは、花びらと葉との少なくとも一方であると共に、色、枚数、大きさ、向きの少なくとも何れか一つを部分的に異ならせて台紙の上に複数枚積層されており、これによって前記花びらと前記葉との少なくとも一方が台紙の上に一枚だけ積層されている単数枚積層領域と、前記花びらと前記葉との少なくとも一方が台紙の上に複数枚積層されている複数枚積層領域とを輪郭体の内側に混在させた状態に構成してあり、且つ複数枚のプリザーブドフラワーを、前記輪郭体の高さ方向の厚みを超えない範囲で前記台紙の上に積層させてあることを特徴とする装飾画材。
【請求項２】
透明の保護膜で覆ってあることを特徴とする請求項１に記載の装飾画材。
【請求項３】
台紙は、透明のフィルムからなることを特徴とする請求項１又は請求項２に記載の装飾画材。
【請求項４】
台紙は、プリザーブドフラワーと同色の紙ナプキンからなることを特徴とする請求項１又は請求項２に記載の装飾画材。
【請求項５】
プリザーブドフラワーの花と、該花の底に貼り付けられる台紙と、前記プリザーブドフラワーの花の花びら間に組み込まれる請求項１〜請求項４の何れか１項に記載の装飾画材と、を備えることを特徴とする装飾画材組み込み体。
【請求項６】
透明のアクリル板の所定領域に帯状の鉛をダイアゴナル状に備えてなる支持板と、前記所定領域に取り付けられる、請求項１〜請求項４の何れか１項に記載の装飾画材と請求項５に記載の装飾画材組み込み体との少なくとも一方と、を備えることを特徴とするステンドガラス調装飾ボード。
【請求項７】
金属製の線材を折り曲げて装飾画材の輪郭をなす閉環形状の輪郭体を形成する輪郭体形成工程と、前記輪郭体を台紙の表面に貼り付ける輪郭体貼り付け工程と、前記輪郭体の内側の前記台紙の表面に１乃至複数種類のプリザーブドフラワーを貼り付けるプリザーブドフラワー貼り付け工程と、前記輪郭体の外周に沿って前記台紙を切り抜く台紙切抜き工程と、を備え、前記プリザーブドフラワー貼り付け工程においては、プリザーブドフラワーとして、花びらと葉との少なくとも一方を用い、且つ色、枚数、大きさ、向きの少なくとも何れか一つを部分的に異ならせて台紙の表面の全面に隙間なく複数枚積層させて貼り付け、これによって前記花びらと前記葉との少なくとも一方が台紙の上に一枚だけ積層されている単数枚積層領域と、前記花びらと前記葉との少なくとも一方が台紙の上に複数枚積層されている複数枚積層領域とを輪郭体の内側に混在させた状態に構成すると共に、複数枚のプリザーブドフラワーを、前記輪郭体の高さ方向の厚みを超えない範囲で前記台紙の表面に貼り付けることを特徴とする装飾画材の製造方法。
【請求項８】
プリザーブドフラワーの花の花床部分を水平に切除して花びら毎に分離可能な状態とする花びら分離工程と、分離可能な状態とされた複数枚の花びらの底を台紙の上に一体的に貼り付ける花びら貼り付け工程と、前記台紙に貼り付けた複数枚の花びらにおいて、隣接する花びら間の隙間を広げる隙間拡張工程と、該隙間拡張工程で拡張された隙間に、請求項７に記載の装飾画材の製造方法によって製造される装飾画材を組み込んで貼り付ける装飾画材組み込み工程と、複数枚の前記花びらの底を含む領域で前記台紙を切り抜く台紙切抜き工程と、を備えることを特徴とする装飾画材組み込み体の製造方法。
【請求項９】
透明のアクリル板の所定領域に帯状の鉛をダイアゴナル状に貼り付けて支持板を形成する支持板形成工程と、前記所定領域に、請求項７に記載の装飾画材の製造方法によって製造される装飾画材と請求項８に記載の装飾画材組み込み体の製造方法によって製造される装飾画材組み込み体との少なくとも一方を貼り付ける貼り付け工程と、を備えることを特徴とするステンドガラス調装飾ボードの製造方法。
【請求項１０】
貼り付け工程において、装飾画材を複数個が重なるように貼り付けることを特徴とする請求項９に記載のステンドガラス調装飾ボードの製造方法。
【発明の詳細な説明】
【技術分野】
【０００１】
本発明は、プリザーブドフラワーを用いた装飾画材及びその製造方法、前記装飾画材を組み込んでなる装飾画材組み込み体及びその製造方法、前記装飾画材と前記装飾画材組み込み体との少なくとも一方を備えてなるステンドガラス調装飾ボード及びその製造方法に関する。
【背景技術】
【０００２】
近年、生花や葉を特殊加工したプリザーブドフラワーを用いてフラワーアレンジメントや装飾品を作製することが広く行われている。このようなプリザーブドフラワーを用いたフラワーアレンジメントや装飾品を示す従来技術として、下記特許文献１、２がある。
【先行技術文献】
【特許文献】
【０００３】
【特許文献１】特開２００７−３２０３０５号公報
【特許文献２】特開２０１４−４７４５号公報
【発明の概要】
【発明が解決しようとする課題】
【０００４】
上記特許文献１の技術は、プリザーブドフラワーアレンジメントの造形方法に関する発明で、葉８の裏側にＵ字型に形成したワイヤー１８を接着剤１９で貼り付けることで、プリザーブドフラワーの造形が型崩れしない構成が開示されている。
また上記特許文献２の技術は、プリザーブドフラワーを材料とした装飾品の製造方法に関する発明で、花や葉や蝶の形に形成した装飾用ワイヤー５１に、接着剤を介して、分解したプリザーブドフラワーの花や葉を貼り付けることで、独創的なアクセサリーやブーケ、アレンジメントの装飾品を製造できる構成が開示されている。
しかし、上記特許文献１のプリザーブドフラワーアレンジメントの造形方法においては、一枚の葉の裏側にワイヤーを貼り付けるだけの構成であることから、オリジナル性のあるアレンジメントができないと共に、葉が破れ易いという問題があった。
また上記特許文献２のプリザーブドフラワーを材料とした装飾品の製造方法においては、複数枚の花びらや葉を重ねて補強する構成であるものの、ワイヤーにプリザーブドフラワーの花びらや葉を直接貼り付ける構成であることから、依然としてプリザーブドフラワーの花びらや葉が破れ易いという問題があった。
【０００５】
そこで本発明は上記従来における問題点を解決し、オリジナル性と美感に富むと共に、立体感を効果的に演出でき、またプリザーブドフラワーが損傷し難い、プリザーブドフラワーを用いた装飾画材及びその製造方法、前記装飾画材を組み込んでなる装飾画材組み込み体及びその製造方法、前記装飾画材と前記装飾画材組み込み体との少なくとも一方を備えてなるステンドガラス調装飾ボード及びその製造方法の提供を課題とする。
【課題を解決するための手段】
【０００６】
上記課題を達成するため、本発明の装飾画材は、装飾画材の輪郭を形成する金属製で且つ閉環形状の輪郭体と、該輪郭体で囲まれる領域の全体を輪郭体の底側から裏打ちする台紙と、前記輪郭体の内側において前記台紙の上の全面に隙間なく積層される１乃至複数種類のプリザーブドフラワーと、を少なくとも備え、前記プリザーブドフラワーは、花びらと葉との少なくとも一方であると共に、色、枚数、大きさ、向きの少なくとも何れか一つを部分的に異ならせて台紙の上に複数枚積層されており、これによって前記花びらと前記葉との少なくとも一方が台紙の上に一枚だけ積層されている単数枚積層領域と、前記花びらと前記葉との少なくとも一方が台紙の上に複数枚積層されている複数枚積層領域とを輪郭体の内側に混在させた状態に構成してあり、且つ複数枚のプリザーブドフラワーを、前記輪郭体の高さ方向の厚みを超えない範囲で前記台紙の上に積層させてあることを第１の特徴としている。
また本発明の装飾画材は、上記第１の特徴に加えて、透明の保護膜で覆ってあることを第２の特徴としている。
また本発明の装飾画材は、上記第１又は第２の特徴に加えて、台紙は、透明のフィルムからなることを第３の特徴としている。
また本発明の装飾画材は、上記第１〜第３の何れか１つの特徴に加えて、台紙は、プリザーブドフラワーと同色の紙ナプキンからなることを第４の特徴としている。
また本発明の装飾画材組み込み体は、プリザーブドフラワーの花と、該花の底に貼り付けられる台紙と、前記プリザーブドフラワーの花の花びら間に組み込まれる請求項１〜請求項４の何れか１項に記載の装飾画材と、を備えることを第５の特徴としている。
また本発明のステンドガラス調装飾ボードは、透明のアクリル板の所定領域に帯状の鉛をダイアゴナル状に備えてなる支持板と、前記所定領域に取り付けられる、請求項１〜請求項４の何れか１項に記載の装飾画材と請求項５に記載の装飾画材組み込み体との少なくとも一方と、を備えることを第６の特徴としている。
また本発明の装飾画材の製造方法は、金属製の線材を折り曲げて装飾画材の輪郭をなす閉環形状の輪郭体を形成する輪郭体形成工程と、前記輪郭体を台紙の表面に貼り付ける輪郭体貼り付け工程と、前記輪郭体の内側の前記台紙の表面に１乃至複数種類のプリザーブドフラワーを貼り付けるプリザーブドフラワー貼り付け工程と、前記輪郭体の外周に沿って前記台紙を切り抜く台紙切抜き工程と、を備え、前記プリザーブドフラワー貼り付け工程においては、プリザーブドフラワーとして、花びらと葉との少なくとも一方を用い、且つ色、枚数、大きさ、向きの少なくとも何れか一つを部分的に異ならせて台紙の表面の全面に隙間なく複数枚積層させて貼り付け、これによって前記花びらと前記葉との少なくとも一方が台紙の上に一枚だけ積層されている単数枚積層領域と、前記花びらと前記葉との少なくとも一方が台紙の上に複数枚積層されている複数枚積層領域とを輪郭体の内側に混在させた状態に構成すると共に、複数枚のプリザーブドフラワーを、前記輪郭体の高さ方向の厚みを超えない範囲で前記台紙の表面に貼り付けることを第７の特徴としている。
また本発明の装飾画材組み込み体の製造方法は、プリザーブドフラワーの花の花床部分を水平に切除して花びら毎に分離可能な状態とする花びら分離工程と、分離可能な状態とされた複数枚の花びらの底を台紙の上に一体的に貼り付ける花びら貼り付け工程と、前記台紙に貼り付けた複数枚の花びらにおいて、隣接する花びら間の隙間を広げる隙間拡張工程と、該隙間拡張工程で拡張された隙間に、請求項７に記載の装飾画材の製造方法によって製造される装飾画材を組み込んで貼り付ける装飾画材組み込み工程と、複数枚の前記花びらの底を含む領域で前記台紙を切り抜く台紙切抜き工程と、を備えることを第８の特徴としている。
また本発明のステンドガラス調装飾ボードの製造方法は、透明のアクリル板の所定領域に帯状の鉛をダイアゴナル状に貼り付けて支持板を形成する支持板形成工程と、前記所定領域に、請求項７に記載の装飾画材の製造方法によって製造される装飾画材と請求項８に記載の装飾画材組み込み体の製造方法によって製造される装飾画材組み込み体との少なくとも一方を貼り付ける貼り付け工程と、を備えることを第９の特徴としている。
また本発明のステンドガラス調装飾ボードの製造方法は、上記第９の特徴に加えて、貼り付け工程において、装飾画材を複数個が重なるように貼り付けることを第１０の特徴としている。
【発明の効果】
【０００７】
上記第１の特徴による装飾画材によれば、装飾画材の輪郭を形成する金属製で且つ閉環形状の輪郭体と、該輪郭体で囲まれる領域の全体を輪郭体の底側から裏打ちする台紙と、前記輪郭体の内側において前記台紙の上の全面に隙間なく積層される１乃至複数種類のプリザーブドフラワーと、を少なくとも備え、前記プリザーブドフラワーは、花びらと葉との少なくとも一方であると共に、色、枚数、大きさ、向きの少なくとも何れか一つを部分的に異ならせて台紙の上に複数枚積層されており、これによって前記花びらと前記葉との少なくとも一方が台紙の上に一枚だけ積層されている単数枚積層領域と、前記花びらと前記葉との少なくとも一方が台紙の上に複数枚積層されている複数枚積層領域とを輪郭体の内側に混在させた状態に構成してあり、且つ複数枚のプリザーブドフラワーを、前記輪郭体の高さ方向の厚みを超えない範囲で前記台紙の上に積層させてあることから、台紙を備える構成とすることで、プリザーブドフラワーに破れ等の損傷が生じ難い装飾画材とすることができる。また１乃至複数種類のプリザーブドフラワーを輪郭体の内側の台紙の上に積層する構成とすることで、１乃至複数種類のプリザーブドフラワーを効率的に積層することができ、製造効率の良い装飾画材とすることができる。
また厚みや色相、明度、彩度が部分的に異なる装飾画材とすることができる。よってオリジナル性と美感に富むと共に、立体感を効果的に演出できる装飾画材とすることができる。
【０００８】
また上記第２の特徴による装飾画材によれば、上記第１の特徴による作用効果に加えて、透明の保護膜で覆ってあることから、プリザーブドフラワーに破れ等の損傷が一段と生じ難い装飾画材とすることができる。よって耐久性、保存性に優れた装飾画材とすることができる。
【０００９】
また上記第３の特徴による装飾画材によれば、上記第１又は第２の特徴による作用効果に加えて、台紙は、透明のフィルムからなることから、プリザーブドフラワーの自体が持つ色相、明度、彩度を損なうことのない装飾画材とすることができる。
【００１０】
また上記第４の特徴による装飾画材によれば、上記第１又は第２の特徴に加えて、台紙は、プリザーブドフラワーと同色の紙ナプキンからなることから、プリザーブドフラワー自体が持つ色相、明度、彩度に沿った新たな趣きを演出することができる装飾画材とすることができる。
【００１１】
また上記第５の特徴による装飾画材組み込み体によれば、プリザーブドフラワーの花と、該花の底に貼り付けられる台紙と、前記プリザーブドフラワーの花の花びら間に組み込まれる請求項１〜請求項４の何れか１項に記載の装飾画材と、を備えることから、従来のプリザーブドフラワーの花では演出することができなかった、オリジナル性と新たな美感とを演出できる装飾画材組み込み体とすることができる。
【００１２】
また上記第６の特徴によるステンドガラス調装飾ボードによれば、透明のアクリル板の所定領域に帯状の鉛をダイアゴナル状に備えてなる支持板と、前記所定領域に取り付けられる、請求項１〜請求項４の何れか１項に記載の装飾画材と請求項５に記載の装飾画材組み込み体との少なくとも一方と、を備えることから、オリジナル性に富むと共に、色鮮やかで立体感のあるプリザーブドフラワーを用いたステンドガラス調装飾ボードとすることができる。
【００１３】
また上記第７の特徴による装飾画材の製造方法によれば、金属製の線材を折り曲げて装飾画材の輪郭をなす閉環形状の輪郭体を形成する輪郭体形成工程と、前記輪郭体を台紙の表面に貼り付ける輪郭体貼り付け工程と、前記輪郭体の内側の前記台紙の表面に１乃至複数種類のプリザーブドフラワーを貼り付けるプリザーブドフラワー貼り付け工程と、前記輪郭体の外周に沿って前記台紙を切り抜く台紙切抜き工程と、を備え、前記プリザーブドフラワー貼り付け工程においては、プリザーブドフラワーとして、花びらと葉との少なくとも一方を用い、且つ色、枚数、大きさ、向きの少なくとも何れか一つを部分的に異ならせて台紙の表面の全面に隙間なく複数枚積層させて貼り付け、これによって前記花びらと前記葉との少なくとも一方が台紙の上に一枚だけ積層されている単数枚積層領域と、前記花びらと前記葉との少なくとも一方が台紙の上に複数枚積層されている複数枚積層領域とを輪郭体の内側に混在させた状態に構成すると共に、複数枚のプリザーブドフラワーを、前記輪郭体の高さ方向の厚みを超えない範囲で前記台紙の表面に貼り付けることから、１乃至複数種類のプリザーブドフラワーを台紙に貼り付ける構成とすることで、プリザーブドフラワーに破れ等の損傷が生じ難い装飾画材を製造することができる。また１乃至複数種類のプリザーブドフラワーを輪郭体の内側の台紙の表面に積層する構成とすることで、１乃至複数種類のプリザーブドフラワーを効率的に台紙に貼り付けることができる。よって作業効率の良い装飾画材の製造方法とすることができる。
【００１４】
また上記第８の特徴による装飾画材組み込み体の製造方法によれば、プリザーブドフラワーの花の花床部分を水平に切除して花びら毎に分離可能な状態とする花びら分離工程と、分離可能な状態とされた複数枚の花びらの底を台紙の上に一体的に貼り付ける花びら貼り付け工程と、前記台紙に貼り付けた複数枚の花びらにおいて、隣接する花びら間の隙間を広げる隙間拡張工程と、該隙間拡張工程で拡張された隙間に、請求項７に記載の装飾画材の製造方法によって製造される装飾画材を組み込んで貼り付ける装飾画材組み込み工程と、複数枚の前記花びらの底を含む領域で前記台紙を切り抜く台紙切抜き工程と、を備えることから、従来のプリザーブドフラワーの花では演出することができなかった、オリジナル性と新たな美感とを演出できる装飾画材組み込み体を製造することができる。
【００１５】
また上記第９の特徴によるステンドガラス調装飾ボードの製造方法によれば、透明のアクリル板の所定領域に帯状の鉛をダイアゴナル状に貼り付けて支持板を形成する支持板形成工程と、前記所定領域に、請求項７に記載の装飾画材の製造方法によって製造される装飾画材と請求項８に記載の装飾画材組み込み体の製造方法によって製造される装飾画材組み込み体との少なくとも一方を貼り付ける貼り付け工程と、を備えることから、オリジナル性に富むと共に、色鮮やかで立体感のあるプリザーブドフラワーを用いたステンドガラス調装飾ボードを製造することができる。
【００１６】
また上記第１０の特徴によるステンドガラス調装飾ボードの製造方法によれば、上記第９の特徴に加えて、貼り付け工程において、装飾画材を複数個が重なるように貼り付けることから、一段と立体感のあるステンドガラス調装飾ボードを製造することができる。よって一段とオリジナル性のあるプリザーブドフラワーを用いたステンドガラス調装飾ボードとすることができる。
【００１７】
本発明の装飾画材によれば、プリザーブドフラワーに破れ等の損傷が生じ難い装飾画材とすることができる。またプリザーブドフラワーを効率的に積層することができ、製造効率の良い装飾画材とすることができる。更にオリジナル性と美感に富むと共に、立体感を効果的に演出できる装飾画材とすることができる。
【００１８】
また本発明の装飾画材組み込み体によれば、従来のプリザーブドフラワーの花では演出することができなかった、オリジナル性と新たな美感とを演出できる装飾画材組み込み体とすることができる。
また本発明のステンドガラス調装飾ボードによれば、オリジナル性に富むと共に、色鮮やかで立体感のあるプリザーブドフラワーを用いたステンドガラス調装飾ボードとすることができる。
【００１９】
また本発明の装飾画材の製造方法によれば、プリザーブドフラワーに破れ等の損傷が生じ難い装飾画材を製造することができる。またプリザーブドフラワーを効率的に台紙に貼り付けることができ、作業効率の良い装飾画材の製造方法とすることができる。
また本発明の装飾画材組み込み体の製造方法によれば、従来のプリザーブドフラワーの花では演出することができなかった、オリジナル性と新たな美感とを演出できる装飾画材組み込み体を製造することができる。
また本発明のステンドガラス調装飾ボードの製造方法によれば、オリジナル性に富むと共に、色鮮やかで立体感のあるプリザーブドフラワーを用いたステンドガラス調装飾ボードを製造することができる。
【図面の簡単な説明】
【００２０】
【図１】本発明の第１の実施形態に係るステンドガラス調装飾ボードを示す図であり、（ａ）は正面図、（ｂ）は（ａ）のＡ−Ａ線断面図である。
【図２】本発明の第１の実施形態に係る装飾画材の製造方法によって装飾画材を製造する工程を示す図である。
【図３】本発明の第１の実施形態に係る装飾画材の製造方法によって装飾画材を製造する工程を示す図である。
【図４】本発明の第１の実施形態に係る装飾画材の製造方法によって装飾画材を製造する工程を示す図である。
【図５】本発明の第１の実施形態に係るステンドガラス調装飾ボードの製造方法によってステンドガラス調装飾ボードを製造する工程を示す図である。
【図６】本発明の第１の実施形態に係るステンドガラス調装飾ボードの製造方法によってステンドガラス調装飾ボードを製造する工程を示す図である。
【図７】本発明の第２の実施形態に係るステンドガラス調装飾ボードを示す正面図である。
【図８】本発明の第２の実施形態に係るステンドガラス調装飾ボードを構成する装飾画材組み込み体の製造方法によって装飾画材組み込み体を製造する工程を示す図である。
【図９】本発明の第２の実施形態に係るステンドガラス調装飾ボードを構成する装飾画材組み込み体の製造方法によって装飾画材組み込み体を製造する工程を示す図である。
【発明を実施するための形態】
【００２１】
以下、各図面を参照して、本発明の実施形態に係る装飾画材及びその製造方法、前記装飾画材を組み込んでなる装飾画材組み込み体及びその製造方法、前記装飾画材と前記装飾画材組み込み体との少なくとも一方を備えてなるステンドガラス調装飾ボード及びその製造方法を説明し、本発明の理解に供する。しかし、以下の説明は特許請求の範囲に記載の本発明を限定するものではない。
【００２２】
まず図１〜図６を参照して、本発明の第１の実施形態に係る装飾画材２０及び装飾画材２０を備えてなるステンドガラス調装飾ボード１、装飾画材２０の製造方法及び装飾画材２０を備えてなるステンドガラス調装飾ボード１の製造方法を説明する。
【００２３】
図１を参照して、本発明の実施形態に係るステンドガラス調装飾ボード１は、支持板１０と、装飾画材２０と、装飾品３０とから構成される。
【００２４】
前記支持板１０は、ステンドガラス調装飾ボード１の骨格を形成するものである。本発明の第１の実施形態においては、図１（ａ）に示すように、支持板１０を矩形状とする構成としてある。
【００２５】
この支持板１０は、図１に示すように、アクリル板１１と、鉛１２と、吊り下げ用貫通孔１３とで構成される。
【００２６】
前記アクリル板１１は、支持板１０の土台を構成するものある。本発明の第１の実施形態においては、透明で矩形状のアクリル板１１を用いる構成としてある。
なお、アクリル板１１の大きさや厚みは、本実施形態のものに限るものではなく、ステンドガラス調装飾ボードの仕様に合わせて適宜変更可能である。
【００２７】
前記鉛１２は、支持板１０の表面の所定領域に貼り付けられて模様を構成するためのものである。本発明の第１の実施形態においては、図１に示すように、アクリル板１１の表面側と、外周端の表裏とに細長い帯状の鉛１２を配置する構成としてある。
より具体的には、図１（ｂ）に示すように、接着剤Ｓを介して、アクリル板１１の表面側の全体に細長い帯状の鉛１２をダイアゴナル状（一定間隔で並列配置される複数の斜線が交差する形状）に貼り付ける構成としてある。また接着剤Ｓを介して、ダイアゴナル状に貼り付けた鉛１２の長手方向端部を覆うように、アクリル板１１の外周端の表面側から裏面側に細長い鉛１２を折り返して貼り付ける構成としてある。
なお鉛１２の幅、厚み、傾斜角度等は、本実施形態のものに限るものではなく、ステンドガラス調装飾ボードの仕様に合わせて適宜変更可能である。
【００２８】
前記吊り下げ用貫通孔１３は、ステンドガラス調装飾ボード１を壁等に吊り下げるための吊り下げ具（図示しない）を通すための孔である。
なお、吊り下げ具としては、紐、ワイヤー等、ステンドガラス調装飾ボード１を壁等に吊り下げることができるものであれば、如何なる物であってもよい。
【００２９】
前記装飾画材２０は、支持板１０に貼り付けられて、ステンドガラス調装飾ボード１の立体的な色つき絵柄を構成するものである。
本発明の第１の実施形態においては、図１に示すように、葉っぱの形状をなす第１の装飾画材２０ａ及び第２の装飾画材２０ｂと、ぶどうの房の一粒の実の形状をなす第３の装飾画材２０ｃとを備える構成としてある。つまり、本実施形態におけるぶどうの房の形状は、複数個の第３の装飾画材２０ｃを一部分が重なるような箇所を設けて貼り付けて装飾画材集合体２００を形成することで構成されている。
この装飾画材２０は、主として台紙２１と、輪郭体２２と、プリザーブドフラワー２３と、保護膜２４とから構成される。
【００３０】
前記台紙２１は、輪郭体２２の底側を裏打ちすることで、装飾画材２０の土台を形成するものである。
本発明の第１の実施形態においては、台紙２１として、透明のフィルムを用いる構成としてある。また、台紙２１の形状と大きさを、装飾画材の輪郭を構成する輪郭体２２と略同一形状で、輪郭体２２の外周を囲む大きさに構成してある。
なお、台紙２１の厚みは、本実施形態のものに限るものではなく、装飾画材２０の仕様に合わせて適宜変更可能である。
【００３１】
前記輪郭体２２は、所望の絵柄を構成する装飾画材の輪郭を構成するものである。
本発明の第１の実施形態においては、輪郭体２２として、細長い金属製の線材を用いる構成としてある。より具体的には、手で容易に折り曲げ可能な細長い針金を用いる構成としてある。
なお、輪郭体２２の太さは、本実施形態のものに限るものではなく、装飾画材２０の仕様に合わせて適宜変更可能である。また、線材も針金に限るものではなく、他の線材を用いる構成としてもよい。
また既述したように、この輪郭体２２の底側には、図１（ｂ）に示すように、台紙２１が裏打ちされている。
【００３２】
前記プリザーブドフラワー２３は、輪郭体２２の内側の台紙２１上に１乃至複数種類が積層されて（貼り付けられて）色つき絵柄を構成するものである。
本発明の第１の実施形態においては、第１の装飾画材２０ａ及び第２の装飾画材２０ｂには、緑色のプリザーブドフラワーの葉２３ａを用い、第３の装飾画材２０ｃには、赤色や紫色のプリザーブドフラワーの花びら２３ｂを用いる構成としてある。勿論、このような構成に限るものではなく、葉っぱの形状をなす装飾画材にプリザーブドフラワーの花びら２３ｂを用いる構成としてもよいし、花の形状をなす装飾画材にプリザーブドフラワーの葉２３ａを用いる構成としてもよい。更に、プリザーブドフラワーの葉２３ａとプリザーブドフラワーの花びら２３ｂとを組み合わせて用いるような構成としてもよい。
【００３３】
本発明の第１の実施形態においては、図１（ａ）に簡略化して示すように、一つの輪郭体２２内に、複数枚のプリザーブドフラワーの花びら２３ｂやプリザーブドフラワーの葉２３ａを貼り付けると共に、貼り付けるプリザーブドフラワーの花びら２３ｂやプリザーブドフラワーの葉２３ａの種類、色、枚数、大きさ、向きの少なくとも何れか一つを一つの輪郭体２２の内部で部分的に異ならせて貼り付ける構成としてある。
つまり、本発明における「プリザーブドフラワーの種類」とは、花びらと葉というような植物学的な種類の違いはもとより、色相の違い、明度の違い、彩度の違い、大きさの違い、厚みの違い等が異なるものは違う種類であるとする概念である。
【００３４】
更に本発明の第１の実施形態においては、葉っぱの形状をなす第１の装飾画材２０ａと第２の装飾画材２０ｂとには、主脈を表現する位置に接着剤Ｓ（図示しない）を介して細長い針金２５を貼り付ける構成としてある。
本発明の第１の実施形態においては、針金２５として、輪郭体２２を構成する針金と同じ部材を用いる構成としてある。
なお、針金２５の長さ、太さ等は、装飾画材２０の仕様に合わせて適宜変更可能である。
【００３５】
前記保護膜２４は、プリザーブドフラワー２３に破れや傷等の損傷や汚れが生じることを防止するための表面保護材である。
本発明の第１の実施形態おいては、保護膜２４を形成する表面保護材として、ウレタン樹脂塗料と水とを混合させた混合液を用いる構成としてある。ウレタン樹脂塗料としては、例えば和信化学工業株式会社製、商品名「アクレックス  Ｎｏ．３４００  木部用ウレタンクリヤー」、商品名「アクレックス  Ｎｏ．３４０５  木部用ウレタンフラット」等を用いることができる。
勿論、保護膜２４は本実施形態のものに限るものではなく、適宜変更可能である。
【００３６】
前記装飾品３０は、ステンドガラス調装飾ボード１の絵柄を構成するものである。
本発明の第１の実施形態においては、装飾品３０として、細長い木の枝を用いる構成としてある。また図１（ａ）に簡略化して示すように、接着剤Ｓ（図示しない）を介して、アクリル板１１とダイアゴナル状に貼り付けられた鉛１２の所定位置に装飾品３０を貼り付ける構成としてある。
勿論、装飾品３０の材質、形状、長さ等は、本発明の第１の実施形態のものに限るものではなく、適宜変更可能である。また装飾品３０は必ずしも必要なものではなく、装飾品３０を設けない構成であってもよい。
【００３７】
次に図２〜図６を参照して、本発明の第１の実施形態に係る装飾画材２０の製造方法及び装飾画材２０の製造方法を用いて製造される装飾画材２０を用いて製造されるステンドガラス調装飾ボード１の製造方法を説明する。
なお、本発明の第１の実施形態において、第１の装飾画材２０ａと第２の装飾画材２０ｂとは同じ製造工程で製造されるものである。また第３の装飾画材２０ｃは、第１の装飾画材２０ａの製造工程と同様な製造工程で製造されるものである。よって装飾画材２０の製造法としては、第１の装飾画材２０ａの製造方法のみを以下で説明するものとする。
【００３８】
本発明の第１の実施形態に係る装飾画材２０ａの製造方法は、台紙準備工程と、輪郭体形成工程と、輪郭体貼り付け工程と、プリザーブドフラワー貼り付け工程と、主脈形成工程と、台紙切抜き工程と、保護膜形成工程とで主として構成される。
【００３９】
まず、図２（ａ）を参照して、台紙準備工程Ｂにおいて、下敷きシート４０の上に、フィルムで構成される台紙２１を敷いて固定する。なお、下敷きシート４０としては、普通紙、画用紙、発砲スチロール等、如何なる材質のものを用いてもよい。また下敷きシート４０上に台紙２１を固定する方法は、まち針での仮止め方法等、下敷きシート４０上に台紙２１を一時的に固定できる方法であれば如何なる方法を用いてもよい。つまり、下敷きシート４０は、台紙２１を仮置きするための台座となるものである。
また下敷きシート４０は必ずしも必要なものではなく、下敷きシート４０を用いない構成としてもよいが、作業効率を考慮すれば、下敷きシート４０を用いることが望ましい。
【００４０】
次に図示しない輪郭体形成工程において、金属製の線材である細長い針金を折り曲げることで、葉っぱの形状（絵柄）の輪郭をなす輪郭体２２を形成する。
図２（ｂ）を参照して、輪郭体貼り付け工程Ｃにおいて、台紙２１の表面に接着剤Ｓ（図示しない）を介して輪郭体２２を貼り付ける。
【００４１】
次に図２（ｃ）を参照して、プリザーブドフラワー貼り付け工程Ｄにおいて、まず輪郭体２２で囲まれた台紙２１の表面全面に接着剤Ｓを塗布する。
そして図３（ａ）、図３（ｂ）を参照して、輪郭体２２で囲まれた台紙２１の表面に、１乃至複数種類のプリザーブドフラワー２３を貼り付ける。より具体的には、分解したプリザーブドフラワーの葉２３ａを隙間なく貼り付ける。
なお、貼り付けるプリザーブドフラワーの葉２３ａは、一枚の葉の形状そのままの形で貼り付ける構成と、一枚の葉をちぎって小片としたものを貼り付ける構成との何れであってもよいし、それらを組み合わせた構成であってもよい。
【００４２】
更にプリザーブドフラワー貼り付け工程Ｄにおいては、図３（ｂ）に簡略化して示すように、一つの輪郭体２２の内側に、複数枚のプリザーブドフラワーの葉２３ａを、少なくとも互いの一部分が重なるように貼り付けると共に、貼り付けるプリザーブドフラワーの葉２３ａの種類、色、枚数、大きさ、向きの少なくとも何れか一つを輪郭体２２内で部分的に異ならせて貼り付ける構成としてある。より具体的には、第１の装飾画材２０ａの製造工程においては、貼り付けるプリザーブドフラワーの葉２３ａの種類は同じであるが、色、枚数、大きさ、向きを輪郭体２２の内部で部分的に異ならせて貼り付ける構成としてある。
なお、図１（ｂ）に示すように、複数枚のプリザーブドフラワーの葉２３ａが上下に重なる部分については、接着剤Ｓを介して貼り付けることが必要である。
【００４３】
次に図３（ｃ）を参照して、葉脈形成工程Ｅにおいて、貼り付けたプリザーブドフラワーの葉２３ａの表面のうち、主脈を表現する箇所に接着剤Ｓ（図示しない）を介して細長い針金２５を貼り付ける。これによって、葉っぱの形状をなす装飾画材２０に立体的な主脈が形成される。
【００４４】
次に図３（ｃ）、図４（ａ）を参照して、台紙切抜き工程Ｆにおいて、下敷きシート４０から台紙２１を離し、はさみ等を用いて輪郭体２２の外周に沿って台紙２１を切り抜く。
以上の工程により、装飾画材２０が形成される。
【００４５】
なお本実施形態においては、図４（ｂ）を参照して、更に保護膜形成工程Ｇを行う。
具体的には、液体の表面保護材２４ａの中に装飾画材２０を浸漬させた後、乾燥させる。
これによって、図４（ｃ）に示すように、装飾画材２０の表面に保護膜２４が被覆される。
なお、装飾画材２０に保護膜２４を被覆させる方法は、本実施形態のものに限るものではなく、スプレー法等、他の塗布方法を用いる構成としてもよい。
【００４６】
第２の装飾画材２０ｂは、既述した第１の装飾画材２０ａと同じ製造工程において、輪郭体２２の形状、大きさ、貼り付けるプリザーブドフラワー２３の葉２３ａの色、枚数、大きさ、向きを異なる構成として製造することができる。
【００４７】
また第３の装飾画材２０ｃは、既述した第１の装飾画材２０ａの製造工程に対して、輪郭体形成工程で円形の輪郭体２２を形成すると共に、プリザーブドフラワー貼り付け工程Ｄでプリザーブドフラワーの葉２３ａに代えてプリザーブドフラワーの花２３ｂを貼り付ける構成とし、更に葉脈形成工程Ｅを省くことで製造することができる。
【００４８】
次に図５、図６を参照して、本発明の第１の実施形態に係るステンドガラス調装飾ボード１の製造方法を説明する。
【００４９】
まず図５（ａ）を参照して、支持板形成工程Ｈにおいて、支持板１０を形成する。
より具体的には、接着剤Ｓ（図示しない）を介して、透明のアクリル板１１の表面側に細長い帯状の鉛１２をダイアゴナル状に貼り付ける。その後、接着剤Ｓ（図示しない）を介して、ダイアゴナル状に貼り付けた鉛１２の長手方向端部を覆うように、アクリル板１１の外周端の表面側から裏面側に細長い帯状の鉛１２を折り返して貼り付ける。これによって、支持板１０が形成される。
その後、図５（ａ）に示すように、支持板１０の上部中央に、吊り下げ用貫通孔１３を一対形成する。
【００５０】
次に図５（ｂ）、図６（ａ）を参照して、貼り付け工程Ｉにおいて、装飾画材２０を貼り付けるための下絵５を備える下絵シート５０を準備し、支持板１０の下に敷く。本発明の第１の実施形態においては、第１の装飾画材２０ａ用の第１の下絵５ａと、第２の装飾画材２０ｂ用の第２の下絵５ｂと、第３の装飾画材２０ｃ用の第３の下絵５ｃと、装飾品３０用の第４の下絵５ｄの四つの下絵５を備える下絵シート５０を用いる構成としてある。
【００５１】
次に図６（ａ）、図６（ｂ）を参照して、下絵５に沿って、第１の装飾画材２０ａ、第２の装飾画材２０ｂ、第３の装飾画材２０ｃ、装飾品３０を支持板１０に接着剤Ｓ（図示しない）を介して貼り付ける。
なお、本発明の第１の実施形態に係るステンドガラス調装飾ボード１においては、図１（ｂ）に示すように、接着剤Ｓを介して鉛１２に装飾画材２０を貼り付ける構成としてある。
この際、図６（ｂ）に示すように、第３の装飾画材２０ｃを用いてぶどうの房の絵柄を形成する際は、接着剤Ｓ（図示しない）を介して、複数個の第３の装飾画材２０ｃを、互いに一部分が重なるように貼り付ける箇所を設けることが必要である。これによって、複数個の第３の装飾画材２０ｃでぶどうの房の形状をなす装飾画材集合体２００が形成される。
【００５２】
なお貼り付け工程Ｉにおいては、本発明の第１の実施形態に係るステンドガラス調装飾ボード１のように、接着剤Ｓを介して鉛１２に装飾画材２０を貼り付ける構成としてもよいし、接着剤Ｓを介してアクリル板１１に装飾画材２０、装飾品３０を貼り付ける構成としてもよい。また、それらの組み合わせとする構成としてもよい。更に装飾画材２０や装飾品３０のうち、アクリル板１１若しくは鉛１２と接する接地面の一部分だけを支持板１０に貼り付ける構成としてもよいし、アクリル板１１若しくは鉛１２と接する接地面の全部を支持板１０に貼り付ける構成としてもよい。
【００５３】
以上により、図６（ｂ）に示す、本発明の第１の実施形態に係るステンドガラス調装飾ボード１が製造される。
【００５４】
このような構成からなる本発明の第１の実施形態に係る装飾画材２０及び装飾画材を備えてなるステンドガラス調装飾ボード１、装飾画材２０の製造方法及び装飾画材２０の製造方法で製造される装飾画材２０を備えるステンドガラス調装飾ボード１の製造方法は、以下の効果を奏する。
【００５５】
輪郭体２２の底側を裏打ちする台紙２１を備えると共に、輪郭体２２の内側の台紙２１上にプリザーブドフラワーの葉２３ａやプリザーブドフラワーの花びら２３ｂを貼り付ける構成とすることで、プリザーブドフラワー２３に破れ等の損傷が生じ難い装飾画材２０とすることができる。また輪郭体２２で囲まれた台紙２１の上にプリザーブドフラワーの葉２３ａやプリザーブドフラワーの花びら２３ｂを貼り付けることができることで、複数枚のプリザーブドフラワーの葉２３ａや複数枚のプリザーブドフラワーの花びら２３ｂを効率的に貼り付けることができ、製造効率のよい装飾画材２０とすることができる。
【００５６】
また複数枚のプリザーブドフラワーの葉２３ａや複数枚のプリザーブドフラワーの花びら２３ｂを台紙２１に貼り付ける構成に加えて、装飾画材２０の表面に保護膜２４を設ける構成とすることで、プリザーブドフラワーの葉２３ａやプリザーブドフラワーの花びら２３ｂに一段と破れ等の損傷が発生し難く、汚れが付き難い装飾画材２０とすることができる。よって、耐久性、保存性に優れた装飾画材２０とすることができる。
更に保護膜２４を形成する表面保護材として、ウレタン樹脂塗料を含む混合液を用いる構成とすることで、色あせ難く、光沢感に優れる装飾画材２０とすることができる。加えて、ウレタン樹脂塗料は乾くと硬度が増すことから、葉２３ａや花びら２３ｂに破れ等の損傷が一段と発生し難い装飾画材２０とすることができる。
【００５７】
またプリザーブドフラワーの葉２ａやプリザーブドフラワーの花びら２３ｂを複数枚貼り付ける際に、貼り付けるプリザーブドフラワーの葉２３ａやプリザーブドフラワーの花びら２３ｂの種類、色、枚数、大きさ、向きの少なくとも何れか一つを輪郭体２２内で部分的に異ならせて貼り付ける構成とすることで、厚みや色相、明度、彩度が部分的に異なる絵柄で構成される装飾画材２０を製造することができる。よって、オリジナル性と美感に富むと共に、立体感を効果的に演出できる装飾画材２０とすることができる。
【００５８】
また透明のフィルムで台紙２１を構成することで、プリザーブドフラワー２３自体が持つ色相、明度、彩度を損なうことのない装飾画材２０とすることができる。またプリザーブドフラワーの葉２３ａが備える葉脈やプリザーブドフラワーの花びら２３ｂが備えるや花脈を効果的に見せることができ、一段と美感に優れ、立体感のある装飾画材２０とすることができる。
【００５９】
またアクリル板１１に帯状の鉛１２をダイアゴナル状に貼り付けて支持板１０を形成すると共に、このような支持板１０に装飾画材２０を貼り付けてステンドガラス調装飾ボード１を形成する構成とすることで、ダイアゴナル状の模様と装飾画材２０とが相まって、あたかも油絵のような立体感のある絵画の趣きを持ったステンドガラス調の装飾ボードを形成することができる。従ってプリザーブドフラワーを用いた装飾品の分野において、従来にはなかった、オリジナル性に富んだ新しい室内用及び室外用の装飾品を提供することができる。
【００６０】
また第３の装飾画材２０ｃを複数個が一部分で重なるような箇所を設けて貼り付け、ぶどうの房の形状をなす装飾画材集合体２００を形成する構成とすることで、一段と立体感のあるステンドガラス調装飾ボード１を製造することができる。よって、一段とオリジナル性のあるプリザーブドフラワーを用いたステンドガラス調装飾ボード１とすることができる。
【００６１】
また透明のアクリル板１１で支持板１０を形成する構成とすることで、下絵シート５０に備える下絵５を確認しながら装飾画材２０を支持板１０に貼り付けることができる。よって作業効率の良いステンドガラス調装飾ボードの製造方法とすることができる。
【００６２】
次に図７〜図９を参照して、本発明の第２の実施形態に係るステンドガラス調装飾ボード３の製造方法を説明する。
【００６３】
本発明の第２の実施形態に係るステンドガラス調装飾ボード３は、既述した本発明の第１の実施形態に係るステンドガラス調装飾ボード１に対して、装飾画材に加えて装飾画材組み込み体を支持板に貼り付ける構成としたものである。その他の主たる構成は、既述した本発明の第１の実施形態に係るステンドガラス調装飾ボード１と同じものであることから、同一部材、同一機能を果たすものには、同一番号を付し、説明は省略するものとする。
【００６４】
本発明の第２の実施形態に係るステンドガラス調装飾ボード３は、具体的には図７を参照して、矩形状のアクリル板１１の中央部分に帯状の鉛１２をダイアゴナル状に貼り付けると共に、ダイアゴナル状に貼り付けた鉛１２の長手方向端部を覆うように楕円形状に構成した鉛１２をアクリル板１１に貼り付ける構成としてある。
また楕円形状の鉛１２で囲まれる領域内に、装飾画材２０と、装飾画材組み込み体６０とを貼り付ける構成としてある。
更に詳しくは図示していないが、アクリル板１１の裏面に、アクリル板１１と同じ形状、大きさの白色の紙ナプキンを貼り付ける構成としてある。
以下においては、ステンドガラス調装飾ボード３の特徴的な構成である装飾画材組み込み体６０及びその製造方法と、ステンドガラス調装飾ボード３及びその製造方法について説明を行うものとする。
【００６５】
図７〜図９を参照して、装飾画材組み込み体６０は、プリザーブドフラワーの花４と、花４の底に貼り付けられる台紙２１と、プリザーブドフラワー４の花びら４ａ間に組み込まれる装飾画材２０とで構成される。より具体的には、プリザーブドフラワーの花４の隣接する花びら４ａ間に装飾画材２０を組み込んで（挿し込んで）貼り付けたものである。
ここで、本発明の第２の実施形態においては、組み込む装飾画材２０の構成として、プリザーブドフラワー４の花びら４ａと同様の形状、大きさ、色の装飾画材２０とする構成としてある。
更に本発明の第２の実施形態に係る装飾画材組み込み体６０においては、プリザーブドフラワーの花４の隣接する花びら４ａ間に、花びら４ａの形に模した針金２５も組み込んで（挿し込んで）貼り付ける構成としてある。
このような構成の装飾画材組み込み体６０は、以下の製造方法によって製造される。
【００６６】
まず図８（ａ）を参照して、花びら分離工程Ｊにおいて、プリザーブドフラワーの花４（本実施形態においてはバラの花）の花床部分を二点鎖線で示す切断線に沿って水平に切除して、花びら４ａ毎に分離可能な状態とする。
次に図８（ｂ）を参照して、花びら貼り付け工程Ｋにおいて、下敷きシート４０上に仮置きされる台紙２１の表面に、接着剤Ｓ（図示しない）を介して、分離可能な状態とされた複数枚の花びら４ａの底（根元）を一体的に貼り付ける。
【００６７】
そして図８（ｃ）を参照して、隙間拡張工程Ｌにおいて、台紙２１に貼り付けた複数枚の花びら４ａの隣接する花びら４ａ間の隙間を拡張する。なお、この隙間拡張工程Ｌは、花びら貼り付け工程Ｋで使用する接着剤Ｓが乾くまでに行うことが望ましい。また、この隙間拡張工程Ｌにおいては、後述する装飾画材２０や針金２５を挿しこむ所定箇所だけ隙間の拡張を行えばよい。
【００６８】
次に図９（ａ）を参照して、装飾画材組み込み工程Ｍにおいて、隣接する花びら４ａ間の所定箇所に第４の装飾画材２０ｄを組み込み（挿み込み）、接着剤Ｓ（図示しない）を介して花びら４ａの底（根元部分）に貼り付ける。
この際、プリザーブドフラワー４の花びら４ａと同様の形状、大きさ、色の装飾画材２０を用いることが必要である。
また本発明の第２の実施形態においては、図９（ａ）、図９（ｂ）に示すように、隣接する花びら４ａ間の別の所定位置に、花びら４ａの形に模した針金２５を組み込み（挿し込み）、接着剤Ｓ（図示しない）を介して花びら４ａの底（根元部分）に針金２５を貼り付ける。
【００６９】
その後、図示しない台紙切抜き工程において、下敷きシート４０から台紙２１を離し、はさみ等を用いて、複数枚の花びら４ａの底（根元）を含む領域で台紙２１を切り抜く。
【００７０】
以上の工程により、装飾画材組み込み体６０が製造される。
【００７１】
また図７を参照して、矩形状のアクリル板１１の中央部分に、接着剤Ｓ（図示しない）を介して、細長い帯状の鉛１２をダイアゴナル状に貼り付けると共に、ダイアゴナル状に貼り付けた鉛１２の長手方向端部を覆うように、楕円形状に形成した鉛１２をアクリル板１１に貼り付ける。
その後、アクリル板１１の裏面に、アクリル板１１と同じ形状、大きさの白色の紙ナプキンを貼り付ける。
以上の工程により、支持板１０が形成される。
【００７２】
そして図７を参照して、楕円形状の鉛１２で囲まれる領域内の所定位置に、接着剤Ｓ（図示しない）を介して、第４の装飾画材２０ｄを備える花の形状をなす第１の装飾画材組み込み体６０ａと、第５の装飾画材２０ｅを備える花の形状をなす第２の装飾画材組み込み体６０ｂと、葉っぱの形状をなす第６の装飾画材２０ｆとを貼り付ける。
【００７３】
以上の工程により、ステンドガラス調装飾ボード３が製造される。
【００７４】
このような構成からなる本発明の第２の実施形態に係る装飾画材組み込み体６０及びその製造方法と、装飾画材組み込み体６０と装飾画材２０とを備えるステンドガラス調装飾ボード３及びその製造方法は、以下の効果を奏する。
【００７５】
プリザーブドフラワーの花４と、花４の底に貼り付けられる台紙２１と、花びら４ａ間に組み込まれる装飾画材２０と、花びら４ａ間に組み込まれる花びら４ａの形に模した針金２５とを組み合わせて装飾画材組み込み体６０とすることで、従来のプリザーブドフラワーの花では演出することができなかった、自然美と人工美とが組み合わさった新たな美感と立体感とを演出可能なオリジナル性の高い装飾品とすることができる。
【００７６】
また組み込む装飾画材２０の構成として、プリザーブドフラワー４の花びら４ａと同様の形状、大きさ、色の装飾画材２０とする構成とすることで、花びら４ａと装飾画材２０とに一体感を持たせることができ、全体としてまとまりのある花の装飾品とすることができる。
【００７７】
また装飾画材組み込み体６０を備えてなるステンドガラス調装飾ボード３とすることで、プリザーブドフラワーを用いた装飾品の分野において、従来にはなかった、一段とオリジナル性に富んだ新しい室内用及び室外用の装飾品を提供することができる。
【００７８】
更にアクリル板１１の裏面に、アクリル板１１と同じ形状、大きさの白色の紙ナプキンを貼り付ける構成とすることで、ダイナゴナル状に貼り付けた鉛１２で構成される模様を目立たせることができ、趣の違ったステンドガラス調装飾ボード３とすることができる。
【００７９】
なお、既述した本発明の第１の実施形態に係る装飾画材２０の製造方法においては、輪郭体貼り付け工程を行い、その後、プリザーブドフラワー貼り付け工程を行う構成としたが、必ずしもこのような構成に限るものではない。
例えば第１の実施形態に係る装飾画材２０の製造工程において、台紙の表面の所定領域に、分解したプリザーブドフラワーの花びらや葉を貼り付けるプリザーブドフラワー貼り付け工程をまず行い、その後、プリザーブドフラワーが貼り付けられた台紙の所定領域に、輪郭体を貼り付ける輪郭体貼り付け工程を行うような構成としてもよい。
【００８０】
また既述した本発明の第１の実施形態に係る装飾画材２０においては、台紙２１として、透明のフィルムを用いる構成としたが、必ずしもこのような構成に限るもではない。例えばプリザーブドフラワーの花びらや葉と同色の紙ナプキンを用いるような構成としてもよい。
このような構成とすることで、プリザーブドフラワー自体が持つ色相、明度、彩度に沿った新たな趣きを演出することができる装飾画材とすることができる。
【００８１】
また既述した本発明の第２の実施形態に係る装飾画材組み込み体６０においては、組み込む装飾画材２０の構成として、プリザーブドフラワー４の花びら４ａと同様の形状、大きさ、色の装飾画材２０を用いる構成としたが、必ずしもこのような構成に限るものではなく、花びら４ａと異なる形状、大きさ、色の装飾画材２０を用いる構成としてもよい。
【００８２】
また本発明の実施形態に係るステンドガラス調装飾ボード１、３は、何れも支持板１０の土台を透明のアクリル板で形成する構成としたが、必ずしもこのような構成に限るものではない。例えば透明のアクリル板に替えて、透明のガラスで支持板１０の土台を形成する構成とすることができる。このような構成とすることで、一段とステンドガラス調の装飾ボードとすることができる。
【００８３】
また本発明の実施形態に係るステンドガラス調装飾ボード１、３は、アクリル板１１と鉛１２とで構成される支持板１０だけで外形を構成するものであるが、必ずしもこのような構成に限るものではない。例えば額縁のようなフレームに支持板１０を嵌め込むことで額縁風のステンドガラス調装飾ボードとする構成としてもよい。
このような構成とすることで、一段と絵画のようなステンドガラス調装飾ボードとすることができる。
【００８４】
また本発明の実施形態に係るステンドガラス調装飾ボード１、３においては、鉛１２をダイアゴナル状に貼り付ける構成としたが、支持板１０の模様を構成する鉛１２の貼り付け方はこのようなものに限るものではなく、格子状等、他の形状を構成する貼り付け方としてもよい。
【産業上の利用可能性】
【００８５】
本発明によれば、オリジナル性と美感に富むと共に、立体感を効果的に演出でき、また、プリザーブドフラワーが損傷し難い、プリザーブドフラワーを用いた装飾画材と、装飾画材を組み込んでなる装飾画材組み込み体と、装飾画材と装飾画材組み込み体の少なくとも何れか一つを備えてなるステンドガラス調装飾ボードとを提供できることから、プリザーブドフラワーを用いたフラワーアレンジメントや装飾品の分野における産業上の利用性が高い。
【符号の説明】
【００８６】
１            ステンドガラス調装飾ボード
３            ステンドガラス調装飾ボード
４            プリザーブドフラワーの花
４ａ          花びら
５            下絵
５ａ          第１の下絵
５ｂ          第２の下絵
５ｃ          第３の下絵
５ｄ          第４の下絵
１０          支持板
１１          アクリル板
１２          鉛
１３          吊り下げ用貫通孔
２０          装飾画材
２０ａ        第１の装飾画材
２０ｂ        第２の装飾画材
２０ｃ        第３の装飾画材
２０ｄ        第４の装飾画材
２０ｅ        第５の装飾画材
２０ｆ        第６の装飾画材
２１          台紙
２２          輪郭体
２３          プリザーブドフラワー
２３ａ        プリザーブドフラワーの葉
２３ｂ        プリザーブドフラワーの花びら
２４          保護膜
２４ａ        表面保護材
２５          針金
３０          装飾品
４０          下敷きシート
５０          下絵シート
６０          装飾画材組み込み体
６０ａ        第１の装飾画材組み込み体
６０ｂ        第２の装飾画材組み込み体
２００        装飾画材集合体
Ｂ            台紙準備工程
Ｃ            輪郭体貼り付け工程
Ｄ            プリザーブドフラワー貼り付け工程
Ｅ            葉脈形成工程
Ｆ            台紙切抜き工程
Ｇ            保護膜形成工程
Ｈ            支持板形成工程
Ｉ            貼り付け工程
Ｊ            花びら分離工程
Ｋ            花びら貼り付け工程
Ｌ            隙間拡張工程
Ｍ            装飾画材組み込み工程
Ｓ            接着剤
【図１】
0006438862.tif 000002
【図２】
0006438862.tif 000003
【図３】
0006438862.tif 000004
【図４】
0006438862.tif 000005
【図５】
0006438862.tif 000006
【図６】
0006438862.tif 000007
【図７】
0006438862.tif 000008
【図８】
0006438862.tif 000009
【図９】
0006438862.tif 000010